(57)【要約】【課題】更なる改善を実現することができる腕装着端末を提供する。【解決手段】ユーザの前腕に装着可能なウェアラブル端末であって、表示領域１２への表示を行う表示部１１３と、第１軸における表示部の第１回転角度を検知するセンサ１１１と、第１回転角度に応じて表示部を制御する制御部１１２と、を有する本体部１０と、本体部の所定方向の両端に接続され、環状に前腕に巻き回されるバンド部２０と、を備え、第１軸は、前腕の延伸方向に平行な第２軸に垂直で、且つ、ユーザがウェアラブル端末を前腕に装着した際の表示部の表示面に平行な平面を第２軸と形成し、制御部は、第１回転角度が第１角度範囲内である場合に、第１表示を表示領域に表示させ、第１回転角度が第１角度範囲内から第１角度範囲と重ならない第２角度範囲内に変化した場合に、第１表示の少なくとも一部と第１表示とは異なる第２表示の少なくとも一部とを同時に表示領域に表示させる。【選択図】図３
2017102429.tif 000002
【特許請求の範囲】
【請求項１】
ユーザの前腕に装着可能なウェアラブル端末であって、
表示領域への表示を行う表示部と、第１軸を回転軸として、前記表示部が回転された時の第１回転角度を検知するセンサと、前記第１回転角度に応じて前記表示部を制御する制御部と、を有する本体部と、
前記本体部の所定方向の両端に接続され、環状に前記前腕に巻き回されるバンド部と、を備え、
前記第１軸は、前記前腕の延伸方向に平行な第２軸に垂直で、且つ、前記ユーザが前記ウェアラブル端末を前腕に装着した際の前記表示部の表示面に平行な平面を前記第２軸と形成し、
前記制御部は、
前記第１回転角度が第１角度範囲内である場合に、第１表示を前記表示領域に表示させ、
前記第１回転角度が前記第１角度範囲内から前記第１角度範囲と重ならない第２角度範囲内に変化した場合に、前記第１表示の少なくとも一部と前記第１表示とは異なる第２表示の少なくとも一部とを同時に前記表示領域に表示させる、
ウェアラブル端末。
【請求項２】
前記制御部は、
前記第１表示の少なくとも一部と前記第２表示の少なくとも一部とを同時に前記表示領域に表示させた後に、前記第１回転角度が前記第２角度範囲内から前記第２角度範囲とは重ならない角度範囲内に変化した場合、前記第２表示を前記表示領域に表示させ、前記第１表示を前記表示領域に表示させない、
請求項１に記載のウェアラブル端末。
【請求項３】
前記制御部は、
前記第１表示の少なくとも一部と前記第２表示の少なくとも一部とを同時に前記表示領域に表示させた後に、前記第１回転角度が前記第２角度範囲内から前記第１角度範囲内に変化した場合、前記第２表示を前記表示領域に表示させ、前記第１表示を前記表示領域に表示させない、
請求項１に記載のウェアラブル端末。
【請求項４】
前記第１表示は、前記ウェアラブル端末にて実行可能な第１アプリケーションを示し、
前記第２表示は、前記ウェアラブル端末にて実行可能な前記第１アプリケーションとは異なる第２アプリケーションを示す、
請求項１に記載のウェアラブル端末。
【請求項５】
前記センサは、さらに、前記第２軸を回転軸として、前記表示部が回転された時の第２回転角度を検知し、
前記制御部は、
更に、前記第２回転角度に応じて前記表示部を制御し、
前記第２回転角度が第３角度範囲内であり、かつ、前記第１回転角度が前記第１角度範囲内である場合に、前記第１表示を前記表示領域に表示させ、
前記第２回転角度が前記第３角度範囲であり、かつ、前記第１回転角度が前記第１角度範囲内から前記第２角度範囲内に変化した場合に、前記第１表示の少なくとも一部と前記第１表示とは異なる第２表示の少なくとも一部とを同時に前記表示領域に表示させる
請求項１に記載のウェアラブル端末。
【請求項６】
前記センサは、さらに、前記第１軸及び前記第２軸に垂直な第３軸を回転軸として、前記表示部が回転された時の第３回転角度を検知する３軸角速度センサである、
請求項１に記載のウェアラブル端末。
【請求項７】
前記第１角度範囲は、前記表示面が重力方向に垂直な平面に対して水平であり且つ前記重力方向とは逆方向を向いている状態を０度とした場合に、−１５度以上１５度未満であり、
前記第２角度範囲は、前記表示面が前記重力方向に垂直な平面に対して水平であり且つ前記重力方向とは逆方向を向いている状態を０度とし、かつ、前記ユーザの身体のから遠い側に前記表示面が向く方向に前記前腕を旋回させる回転方向を正とした場合に、１５度以上４５度未満であり、
前記第３角度範囲は、前記表示面が前記重力方向に垂直な平面に対して水平でありかつ前記重力方向とは逆方向を向いている状態を０度とし、前記ユーザの身体から近い側に前記表示面が向く方向に前記前腕をひねる回転方向を正とした場合に、０度以上４５度未満である、
請求項５に記載のウェアラブル端末。
【請求項８】
前記制御部は、
前記第２回転角度が、前記第３角度範囲と重ならない角度範囲内に変化した場合に、前記表示部の表示をオフにする、
請求項５に記載のウェアラブル端末。
【請求項９】
前記第２角度範囲は、第４角度範囲と、第５角度範囲とを含み、前記第４角度範囲から前記第１角度範囲までの回転角は、前記第５角度範囲から前記第１角度範囲までの回転角よりも小さく、
前記制御部は、
前記第１回転角度が前記第５角度範囲から前記第１角度範囲に再度変化した場合に、前記表示領域に、前記第２表示を表示させ、前記第１表示を表示させず、
前記第１回転角度が前記第４角度範囲から前記第１角度範囲に再度変化した場合に、前記表示領域に、前記第１表示を表示させ、前記第２表示を表示させない、
請求項１に記載のウェアラブル端末。
【請求項１０】
前記第１回転角度が前記第４角度範囲から前記第５角度範囲に変化した場合に、前記第１表示の少なくとも一部と前記第２表示の少なくとも一部とを同時に前記表示領域に表示させ、かつ、前記第１表示から前記第２表示への切り替えを示唆する第３表示を前記表示領域に表示させる、
請求項９に記載のウェアラブル端末。
【請求項１１】
前記制御部は、
前記第１表示の少なくとも一部と前記第２表示の少なくとも一部とを同時に前記表示領域に表示させる時、且つ、前記第１回転角度が前記第２角度範囲内である時、
前記表示領域のうち第１表示領域に前記第２表示の少なくとも一部を表示させ、
前記表示領域のうち第２表示領域に前記第１表示の少なくとも一部を表示させ、
前記表示領域が前記第１軸に垂直な境界線によって分割された２つの領域のうち、前記第１表示領域は、前記ユーザの指先側に位置する領域を示し、前記第２表示領域は、前記ユーザの肘側に位置する領域を示す、
請求項１に記載のウェアラブル端末。
【請求項１２】
前記制御部は、
前記第１表示の少なくとも一部と前記第２表示の少なくとも一部とを同時に前記表示領域に表示させる時で、且つ、前記第１回転角度が前記第２角度範囲内である時、
前記表示領域のうち第１表示領域に前記第１表示の少なくとも一部を表示させ、
前記表示領域のうちで第２表示領域に前記第２表示の少なくとも一部を表示させ、
前記表示領域が前記第１軸に平行な境界線によって分割された２つ領域のうち、前記第１表示領域は、前記ユーザの指先側に位置する領域を示し、前記第２表示領域は、前記２つの領域のうち、前記ユーザの肘側に位置する領域を示す、
請求項１に記載のウェアラブル端末。
【請求項１３】
ユーザの前腕に装着可能なウェアラブル端末であって、
表示領域への表示を行う表示部と、前記前腕の延伸方向に平行な第１軸を回転軸として、前記表示部が回転された時の第１回転角度を検知するセンサと、前記第１回転角度に応じて前記表示部を制御する制御部と、を有する本体部と、
前記本体部の所定方向の両端に接続され、環状に前記前腕に巻き回されるバンド部と、を備え、
前記制御部は、
前記第１回転角度が第１角度範囲内である場合に、第１表示を前記表示領域に表示させ、
前記第１回転角度が前記第１角度範囲内から前記第１角度範囲と重ならない第２角度範囲内に変化した場合に、前記第１表示の少なくとも一部と前記第１表示とは異なる第２表示の少なくとも一部とを同時に前記表示領域に表示させる、
ウェアラブル端末。
【請求項１４】
前記制御部は、
前記第１表示の少なくとも一部と前記第２表示の少なくとも一部とを同時に前記表示領域に表示させた後に、前記第１回転角度が前記第２角度範囲内から前記第２角度範囲とは重ならない角度範囲内に変化した場合、前記第２表示を前記表示領域に表示させ、前記第１表示を前記表示領域に表示させない、
請求項１３に記載のウェアラブル端末。
【請求項１５】
前記制御部は、
前記第１表示の少なくとも一部と前記第２表示の少なくとも一部とを同時に前記表示領域に表示させた後に、前記第１回転角度が前記第２角度範囲内から前記第１角度範囲内に変化した場合、前記第２表示を前記表示領域に表示させ、前記第１表示を前記表示領域に表示させない、
請求項１３に記載のウェアラブル端末。
【請求項１６】
前記第１表示は、前記ウェアラブル端末にて実行可能な第１アプリケーションを示し、
前記第２表示は、前記ウェアラブル端末にて実行可能な前記第１アプリケーションとは異なる第２アプリケーションを示す、
請求項１３に記載のウェアラブル端末。
【請求項１７】
前記センサは、さらに、第２軸を回転軸として、前記表示部が回転された時の第２回転角度を検知し、前記第２軸は、前記第１軸に垂直で、且つ、前記ユーザが前記ウェアラブル端末を前腕に装着した際の前記表示部の表示面に平行な平面を前記第１軸と形成し、
前記制御部は、
更に、前記第２回転角度に応じて前記表示部を制御し、
前記第２回転角度が第３角度範囲内であり、かつ、前記第１回転角度が前記第１角度範囲内である場合に、前記第１表示を前記表示領域に表示させ、
前記第２回転角度が前記第３角度範囲であり、かつ、前記第１回転角度が前記第１角度範囲内から前記第２角度範囲内に変化した場合に、前記第１表示の少なくとも一部と前記第１表示とは異なる第２表示の少なくとも一部とを同時に前記表示領域に表示させる、
請求項１３に記載のウェアラブル端末。
【請求項１８】
前記センサは、さらに、前記第１軸及び前記第２軸に垂直な第３軸を回転軸として、前記表示部が回転された時の第３回転角度を検知する３軸角速度センサである、
請求項１７に記載のウェアラブル端末。
【請求項１９】
前記第１角度範囲は、前記表示部の表示面が重力方向に垂直な平面に対して水平であり且つ前記重力方向とは逆方向を向いている状態を０度とした場合に、−１５度以上１５度未満であり、
前記第２角度範囲は、前記表示面が前記重力方向に垂直な平面に対して水平であり且つ前記重力方向とは逆方向を向いている状態を０度とし、かつ、前記ユーザの身体から遠い側に前記表示面が向く方向に前記前腕を旋回させる回転方向を正とした場合に、１５度以上４５度未満であり、
前記第３角度範囲は、前記表示面が前記重力方向に垂直な平面に対して水平でありかつ前記重力方向とは逆方向を向いている状態を０度とし、前記ユーザの身体から近い側に前記表示面が向く方向に前記前腕をひねる回転方向を正とした場合に、０度以上４５度未満である、
請求項１８に記載のウェアラブル端末。
【請求項２０】
前記制御部は、
前記第２回転角度が、前記第３角度範囲と重ならない角度範囲内に変化した場合に、前記表示部の表示をオフにする、
請求項１８に記載のウェアラブル端末。
【請求項２１】
前記第２角度範囲は、第４角度範囲と、第５角度範囲とを含み、前記第４角度範囲から前記第１角度範囲までの回転角は、前記第５角度範囲から前記第１角度範囲までの回転角よりも小さく、
前記制御部は、
前記第１回転角度が前記第５角度範囲から前記第１角度範囲に再度変化した場合に、前記表示領域に、前記第２表示を表示させ、前記第１表示を表示させず、
前記第１回転角度が前記第４角度範囲から前記第１角度範囲に再度変化した場合に、前記表示領域に、前記第１表示を表示させ、前記第２表示を表示させない、
請求項１３に記載のウェアラブル端末。
【請求項２２】
前記第１回転角度が前記第４角度範囲から前記第５角度範囲に変化した場合に、前記第１表示の少なくとも一部と前記第２表示の少なくとも一部とを同時に前記表示領域に表示させ、かつ、前記第１表示から前記第２表示への切り替えを示唆する第３表示を前記表示領域に表示させる、
請求項２１に記載のウェアラブル端末。
【請求項２３】
前記制御部は、
前記第１表示の少なくとも一部と前記第２表示の少なくとも一部とを同時に前記表示領域に表示させる時、且つ、前記第１回転角度が前記第２角度範囲内である時、
前記表示領域のうち第１表示領域に前記第２表示の少なくとも一部を表示させ、
前記表示領域のうち第２表示領域に前記第１表示の少なくとも一部を表示させ、
前記表示領域が前記前腕に平行な境界線によって分割された２つの領域のうち、前記第１表示領域は前記ユーザの身体から近い領域を示し、前記第２表示領域は、前記ユーザの身体から遠い領域を示す、
請求項１３に記載のウェアラブル端末。
【請求項２４】
前記制御部は、
前記第１表示の少なくとも一部と前記第２表示の少なくとも一部とを同時に前記表示領域に表示させる時で、且つ、前記第１回転角度が前記第２角度範囲内である時、
前記表示領域のうち第１表示領域に前記第１表示の少なくとも一部を表示させ、
前記表示領域のうちで第２表示領域に前記第２表示の少なくとも一部を表示させ、
前記表示領域が前記前腕に平行な境界線によって分割された２つの領域のうち、前記第１表示領域は前記ユーザの身体から近い領域を示し、前記第２表示領域は、前記ユーザの身体から遠い領域を示す、
請求項１３に記載のウェアラブル端末。
【請求項２５】
前記制御部は、
前記第１回転角度が、前記第２角度範囲から、前記第１角度範囲および前記第２角度範囲と重ならない第６角度範囲に変化した後に、前記第６角度範囲から前記第１角度範囲に変化した場合に、前記表示領域に、前記第１表示を表示させ、前記第２表示を表示させない
請求項１３に記載のウェアラブル端末。
【請求項２６】
前記第２角度範囲は、前記第１角度範囲と前記第６角度範囲との間の角度範囲である
請求項２５に記載のウェアラブル端末。
【請求項２７】
ユーザの前腕に装着可能なウェアラブル端末における制御方法であって、
前記ウェアラブル端末は、
表示領域への表示を行う表示部と、第１軸を回転軸として、前記表示部が回転された時の第１回転角度を検知するセンサと、前記第１回転角度に応じて前記表示部を制御する制御部と、を有する本体部と、
前記本体部の所定方向の両端に接続され、環状に前記前腕に巻き回されるバンド部と、を備え、
前記第１軸は、前記前腕の延伸方向に平行な第２軸に垂直で、且つ、前記ユーザが前記ウェアラブル端末を前腕に装着した際の前記表示部の表示面に平行な平面を前記第２軸と形成し、
前記第１回転角度が第１角度範囲内である場合に、第１表示を前記表示領域に表示させ、
前記第１回転角度が前記第１角度範囲内から前記第１角度範囲と重ならない第２角度範囲内に変化した場合に、前記第１表示の少なくとも一部と前記第１表示とは異なる第２表示の少なくとも一部とを同時に前記表示領域に表示させる、
制御方法。
【請求項２８】
ユーザの前腕に装着可能なウェアラブル端末における制御方法であって、
前記ウェアラブル端末は、
表示領域への表示を行う表示部と、前記前腕の延伸方向に平行な第１軸を回転軸として、前記表示部が回転された時の第１回転角度を検知するセンサと、前記第１回転角度に応じて前記表示部を制御する制御部と、を有する本体部と、
前記本体部の所定方向の両端に接続され、環状に前記前腕に巻き回されるバンド部と、を備え、
前記第１回転角度が第１角度範囲内である場合に、第１表示を前記表示領域に表示させ、
前記第１回転角度が前記第１角度範囲内から前記第１角度範囲と重ならない第２角度範囲内に変化した場合に、前記第１表示の少なくとも一部と前記第１表示とは異なる第２表示の少なくとも一部とを同時に前記表示領域に表示させる、
制御方法。
【発明の詳細な説明】
【技術分野】
【０００１】
本開示は、姿勢を検出し、検出した姿勢に応じて表示を切り替えるウェアラブル端末および表示制御方法に関する。
【背景技術】
【０００２】
従来、携帯端末装置において、加速度センサにより自装置の筐体を回転させる回転操作を検出し、検出した回転操作を検出した場合に表示を変更する技術が開示されている。
【先行技術文献】
【特許文献】
【０００３】
【特許文献１】特開２０１０−２７７４６５号公報
【発明の概要】
【発明が解決しようとする課題】
【０００４】
しかし、従来技術では、更なる改善が必要とされていた。
【課題を解決するための手段】
【０００５】
本発明のウェアラブル端末は、ユーザの前腕に装着可能なウェアラブル端末であって、表示領域への表示を行う表示部と、第１軸を回転軸として、前記表示部が回転された時の第１回転角度を検知するセンサと、前記第１回転角度に応じて前記表示部を制御する制御部と、を有する本体部と、前記本体部の所定方向の両端に接続され、環状に前記前腕に巻き回されるバンド部と、を備え、前記第１軸は、前記前腕の延伸方向に平行な第２軸に垂直で、且つ、前記ユーザが前記ウェアラブル端末を前腕に装着した際の前記表示部の表示面に平行な平面を前記第２軸と形成し、前記制御部は、前記第１回転角度が第１角度範囲内である場合に、第１表示を前記表示領域に表示させ、前記第１回転角度が前記第１角度範囲内から前記第１角度範囲と重ならない第２角度範囲内に変化した場合に、前記第１表示の少なくとも一部と前記第１表示とは異なる第２表示の少なくとも一部とを同時に前記表示領域に表示させる。
【０００６】
本発明の他のウェアラブル端末は、ユーザの前腕に装着可能なウェアラブル端末であって、表示領域への表示を行う表示部と、前記前腕の延伸方向に平行な第１軸を回転軸として、前記表示部が回転された時の第１回転角度を検知するセンサと、前記第１回転角度に応じて前記表示部を制御する制御部と、を有する本体部と、前記本体部の所定方向の両端に接続され、環状に前記前腕に巻き回されるバンド部と、を備え、前記制御部は、前記第１回転角度が第１角度範囲内である場合に、第１表示を前記表示領域に表示させ、前記第１回転角度が前記第１角度範囲内から前記第１角度範囲と重ならない第２角度範囲内に変化した場合に、前記第１表示の少なくとも一部と前記第１表示とは異なる第２表示の少なくとも一部とを同時に前記表示領域に表示させる。
【０００７】
上記態様によれば、更なる改善を実現することができる。
【図面の簡単な説明】
【０００８】
【図１】図１は、実施の形態１に係るウェアラブル端末の外観図である。
【図２】図２は、実施の形態１に係るウェアラブル端末のハードウェア構成を示すブロック図である。
【図３】図３は、実施の形態１に係るウェアラブル端末の機能構成を示すブロック図である。
【図４】図４は、実施の形態１に係る第１の回転角度が第１の角度範囲である場合について説明するための図である。
【図５】図５は、実施の形態１に係る第１の回転角度が第２の角度範囲である場合について説明するための図である。
【図６】図６は、実施の形態１に係る第２の回転角度が第３の角度範囲である場合について説明するための図である。
【図７】図７は、実施の形態１に係るウェアラブル端末のスリープ制御の一例を説明するためのフローチャートである。
【図８】図８は、実施の形態１に係る制御部によるスリープ制御において表示される表示と、ウェアラブル端末の姿勢との関係を示す図である。
【図９】図９は、実施の形態１に係るウェアラブル端末の表示制御の一例を説明するためのフローチャートである。
【図１０】図１０は、実施の形態１に係る制御部による表示制御において表示される表示と、ウェアラブル端末の姿勢との関係を示す図である。
【図１１】図１１は、実施の形態１の変形例１に係る第１の回転角度が第４の角度範囲または第５の角度範囲である場合について説明するための図である。
【図１２】図１２は、実施の形態１の変形例１に係るウェアラブル端末の表示制御の一例を説明するためのフローチャートである。
【図１３】図１３は、実施の形態１の変形例１に係る制御部による、第４の角度範囲から第１の角度範囲に変化した場合の、表示制御において表示される表示と、ウェアラブル端末の姿勢との関係を示す図である。
【図１４】図１４は、実施の形態１の変形例１に係る制御部による、第５の角度範囲から第１の角度範囲に変化した場合の、表示制御において表示される表示と、ウェアラブル端末の姿勢との関係を示す図である。
【図１５】図１５は、実施の形態２に係る第１の回転角度の角度範囲について説明するための図である。
【図１６】図１６は、実施の形態２に係るウェアラブル端末の表示制御の一例を説明するためのフローチャートである。
【図１７】図１７は、実施の形態２に係る制御部による表示制御において表示される表示と、ウェアラブル端末の姿勢との関係を示す図である。
【図１８】図１８は、実施の形態２に係る制御部による表示制御において表示される表示と、ウェアラブル端末の姿勢との関係を示す図である。
【発明を実施するための形態】
【０００９】
（本開示の基礎となった知見）
本発明者は、「背景技術」の欄において記載した、携帯端末装置に関し、以下の問題が生じることを見出した。
【００１０】
特許文献１の携帯端末装置として携帯電話機が開示されているが、近年では、携帯端末装置として人体に装着されるウェアラブル端末が開発されている。ウェアラブル端末としては、例えば、腕に装着する腕時計型のウェアラブル端末がある。
【００１１】
このようなウェアラブル端末は、片腕に装着するため、ウェアラブル端末を装着した腕とは別の腕側の手によって操作を行う必要がある。つまり、ウェアラブル端末のアプリケーションの切り替えや、表示されている画像の切り替えなど比較的容易な操作であっても、ウェアラブル端末への操作を行うためには、両方の腕が必要になる。このため、例えば、荷物を持っている場合や、電車やバスの吊り革に掴まっている場合など、片手がふさがっている場合には、ウェアラブル端末に対する操作を行うことは難しいという課題がある。
【００１２】
この課題を解決するために、ウェアラブル端末の端末自身に対して回転操作を行うことによって、回転操作に応じた表示制御をウェアラブル端末に行わせることが求められている。
【００１３】
しかしながら、例えば、所定の回転方向に所定の回転角度だけウェアラブル端末を回転させ、その後に、所定の回転方向とは反対方向に回転させて元に戻した場合に、表示を切り替える表示制御を行うとことにしても、ユーザは、どのようにウェアラブル端末を回転させれば次の表示に切り替えられるのかを確認することができない。つまり、ユーザは、次の表示に切り替わった結果しか確認できない。このため、ユーザは、次の表示に切り替えるためにウェアラブル端末を回転させるという操作方法を予め知っておかなければ、表示が切り替わるかどうかも知ることができないという課題がある。
【００１４】
ところで、ウェアラブル端末は、筐体が小さいため、バッテリーを収納するスペースが少ないため、バッテリー容量がスマートフォンなどの他の携帯端末と比較すると十分でないと言う課題もある。このため、端末自身の姿勢を検出することにより、ウェアラブル端末がユーザによって閲覧されていない姿勢であると判定すれば、スリープ状態となるウェアラブル端末が知られている。具体的には、端末自身に対する回転操作を検出することによりスリープ状態とするウェアラブル端末が知られている。
【００１５】
以上のように、ユーザは、次の表示に切り替えるためにウェアラブル端末を回転させるという操作方法を知らない場合、ウェアラブル端末を装着した腕とは別の腕側の手による操作を行う必要がある。これにより、ユーザは、特に片手がふさがっている状態では、表示を切り替えるのに時間を要することとなる。よって、ウェアラブル端末では、ディスプレイに情報を表示したままの状態で表示の切り替えのための操作が行われるまで必要以上の時間待機することになり、余計に電力を消費することとなる。このように、消費電力が大きくなってしまう課題があることは、バッテリー容量が少ないウェアラブル端末においては好ましくない。
【００１６】
また、上記のように、従来のウェアラブル端末では、表示の切り替え処理と、スリープ状態への切り替え処理との異なる２つの処理のそれぞれに対して、予め定められた回転操作が検出されたかに応じていずれかの処理を行うことが知られているが、同時に２つの処理を行う場合にどのように切り替えるかは考慮されていなかった。つまり、回転操作を検出することにより機能が異なる２つの処理をウェアラブル端末に対して行わせるには、更なる工夫が必要だった。
【００１７】
そこで、ウェアラブル端末の機能向上のため、以下の改善策を検討した。
【００１８】
（１）本開示の一態様に係るウェアラブル端末は、ユーザの前腕に装着可能なウェアラブル端末であって、表示領域への表示を行う表示部と、第１軸を回転軸として、前記表示部が回転された時の第１回転角度を検知するセンサと、前記第１回転角度に応じて前記表示部を制御する制御部と、を有する本体部と、前記本体部の所定方向の両端に接続され、環状に前記前腕に巻き回されるバンド部と、を備え、前記第１軸は、前記前腕の延伸方向に平行な第２軸に垂直で、且つ、前記ユーザが前記ウェアラブル端末を前腕に装着した際の前記表示部の表示面に平行な平面を前記第２軸と形成し、前記制御部は、前記第１回転角度が第１角度範囲内である場合に、第１表示を前記表示領域に表示させ、前記第１回転角度が前記第１角度範囲内から前記第１角度範囲と重ならない第２角度範囲内に変化した場合に、前記第１表示の少なくとも一部と前記第１表示とは異なる第２表示の少なくとも一部とを同時に前記表示領域に表示させる。
【００１９】
これによれば、ウェアラブル端末のセンサにより検知された第１の回転角度が第１の角度範囲から第２の角度範囲に変化した場合に、第１の表示を表示している状態から、第１の表示の少なくとも一部と第２の表示の少なくとも一部とを表示する状態へ遷移する。このため、ユーザは、第１の表示の次の表示である第２の表示に切り替わることが示唆された表示を確認することができる。これにより、ユーザは、どのようにウェアラブル端末を回転させれば、次の表示への切り替えが行われるかを知ることができ、容易に次の表示へ切り替えることができる。よって、ユーザは、ほとんど時間を要さずに表示の切り替えを行うことができるため、ウェアラブル端末は、消費電力を低減できる。
【００２０】
（２）上記態様において、前記制御部は、前記第１表示の少なくとも一部と前記第２表示の少なくとも一部とを同時に前記表示領域に表示させた後に、前記第１回転角度が前記第２角度範囲内から前記第２角度範囲とは重ならない角度範囲内に変化した場合、前記第２表示を前記表示領域に表示させ、前記第１表示を前記表示領域に表示させなくてもよい。
【００２１】
（３）上記態様において、前記制御部は、前記第１表示の少なくとも一部と前記第２表示の少なくとも一部とを同時に前記表示領域に表示させた後に、前記第１回転角度が前記第２角度範囲内から前記第１角度範囲内に変化した場合、前記第２表示を前記表示領域に表示させ、前記第１表示を前記表示領域に表示させなくてもよい。
【００２２】
このため、ユーザは、同時表示が行われている状態で、ウェアラブル端末の第１の回転角度において第２の角度範囲から第１の角度範囲に変化させるだけで、同時表示を経て第１の表示から第２の表示に表示部の表示を切り替えることができる。
【００２３】
（４）上記態様において、前記第１表示は、前記ウェアラブル端末にて実行可能な第１アプリケーションを示し、前記第２表示は、前記ウェアラブル端末にて実行可能な前記第１アプリケーションとは異なる第２アプリケーションを示してもよい。
【００２４】
このため、ユーザは、ウェアラブル端末の第１の回転角度を第１の角度範囲から第２の角度範囲に変化させるだけで、第１のアプリケーションを示す表示から第１のアプリケーションを示す表示の少なくとも一部と、第２のアプリケーションを示す表示の少なくとも一部とを同時に表示領域に表示させることができる。
【００２５】
（５）上記態様において、前記センサは、さらに、前記第２軸を回転軸として、前記表示部が回転された時の第２回転角度を検知し、前記制御部は、更に、前記第２回転角度に応じて前記表示部を制御し、前記第２回転角度が第３角度範囲内であり、かつ、前記第１回転角度が前記第１角度範囲内である場合に、前記第１表示を前記表示領域に表示させ、前記第２回転角度が前記第３角度範囲であり、かつ、前記第１回転角度が前記第１角度範囲内から前記第２角度範囲内に変化した場合に、前記第１表示の少なくとも一部と前記第１表示とは異なる第２表示の少なくとも一部とを同時に前記表示領域に表示させてもよい。
【００２６】
このため、ウェアラブル端末では、第１の回転方向における第１の回転角度だけでなく、第２の回転方向における第２の回転角度に応じても、表示部への表示の切り替えを行うことができる。これにより、制御部は、第２の回転角度の変化を同時表示とは異なる表示への切り替えに利用できる。
【００２７】
（６）上記態様において、前記センサは、さらに、前記第１軸及び前記第２軸に垂直な第３軸を回転軸として、前記表示部が回転された時の第３回転角度を検知する３軸角速度センサであってもよい。
【００２８】
（７）上記態様において、前記第１角度範囲は、前記表示面が重力方向に垂直な平面に対して水平であり且つ前記重力方向とは逆方向を向いている状態を０度とした場合に、−１５度以上１５度未満であり、前記第２角度範囲は、前記表示面が前記重力方向に垂直な平面に対して水平であり且つ前記重力方向とは逆方向を向いている状態を０度とし、かつ、前記ユーザの身体のから遠い側に前記表示面が向く方向に前記前腕を旋回させる回転方向を正とした場合に、１５度以上４５度未満であり、前記第３角度範囲は、前記表示面が前記重力方向に垂直な平面に対して水平でありかつ前記重力方向とは逆方向を向いている状態を０度とし、前記ユーザの身体から近い側に前記表示面が向く方向に前記前腕をひねる回転方向を正とした場合に、０度以上４５度未満であってもよい。
【００２９】
このため、ユーザは、手首にウェアラブル端末を装着している場合には、例えば、当該手首が顔に近づく方向に前腕部を旋回させるだけでウェアラブル端末のセンサにより検知されている第１の回転角度を変化させることができる。これにより、ユーザは、容易に第１の表示が表示されている状態から同時表示に切り替えることができる。
【００３０】
（８）上記態様において、前記制御部は、前記第２回転角度が、前記第３角度範囲と重ならない角度範囲内に変化した場合に、前記表示部の表示をオフにしてもよい。
【００３１】
このため、ウェアラブル端末では、第１の回転方向における第１の回転角度の変化に応じて第１の表示から同時表示への切り替えることだけでなく、第２の回転角度の変化に応じて第１の表示または同時表示から表示部の表示をオフできる。これにより、例えば、制御部がセンサの検知結果に応じて、ユーザが表示部を閲覧していない姿勢であると判断した場合に、表示部の表示をオフにできるため、消費電力を低減できる。また、２つの異なる回転軸による第１の回転角度および第２の回転角度の検出結果に応じて、それぞれ、表示制御の機能と、スリープ制御の機能とを割り当てることにより、表示制御処理とスリープ制御処理とを混同せずに処理させることができる。このため、回転操作を検出することにより２つの異なる機能を効果的に実現させることができる。
【００３２】
（９）上記態様において、前記第２角度範囲は、第４角度範囲と、第５角度範囲とを含み、前記第４角度範囲から前記第１角度範囲までの回転角は、前記第５角度範囲から前記第１角度範囲までの回転角よりも小さく、前記制御部は、前記第１回転角度が前記第５角度範囲から前記第１角度範囲に再度変化した場合に、前記表示領域に、前記第２表示を表示させ、前記第１表示を表示させず、前記第１回転角度が前記第４角度範囲から前記第１角度範囲に再度変化した場合に、前記表示領域に、前記第１表示を表示させ、前記第２表示を表示させなくてもよい。
【００３３】
これによれば、同時表示が行われている状態において、その後に第１の角度範囲に回転を戻した場合に、第２の角度範囲のうちで第１の角度範囲から遠い第５の角度範囲にあるか近い第４の角度範囲にあるかで、同時表示の後に表示させる表示を異ならせている。また、この場合、第１の角度範囲から遠い第５の角度範囲にあったときには、同時表示から第２の表示に切り替え、第１の角度範囲から近い第４の角度範囲にあったときには、第２の表示に切り替えずに第１の表示に切り替える。このように、第１の表示が表示されている姿勢から同時表示の姿勢までの回転が深い場合には、逆回転されて姿勢が元に戻されれば第２の表示に切り替え、第１の表示が表示されている姿勢から同時表示の姿勢までの回転が浅い場合には、逆回転されて姿勢が元に戻されたとしても第１の表示に戻す。このため、ユーザは、回転させる角度の大きさを調整することにより、同時表示を確認した後に、第２の表示への切り替えか、第１の表示への切り替えかを選択することができる。
【００３４】
これによれば、第５の角度範囲に変化した場合に、第３の表示を表示させるため、ユーザに、次に第１の角度範囲に回転を戻した場合に表示される表示が第１の表示の次の第２の表示であることを知らせることができる。このため、ユーザは、同時表示を確認した後に、容易に、第２の表示への切り替えが行われるか、第１の表示への切り替えが行われるかを判断できるため、第２の表示に切り替えるか、第１の表示に切り替えるかを選択することができる。
【００３５】
（１１）上記態様において、前記第１表示の少なくとも一部と前記第２表示の少なくとも一部とを同時に前記表示領域に表示させる時、且つ、前記第１回転角度が前記第２角度範囲内である時、前記表示領域のうち第１表示領域に前記第２表示の少なくとも一部を表示させ、前記表示領域のうち第２表示領域に前記第１表示の少なくとも一部を表示させ、前記表示領域が前記第１軸に垂直な境界線によって分割された２つの領域のうち、前記第１表示領域は、前記ユーザの指先側に位置する領域を示し、前記第２表示領域は、前記ユーザの肘側に位置する領域を示してもよい。
【００３６】
このため、第２の角度範囲の状態から第１の角度範囲の状態へと変化させることで同時表示から第２の表示に切り替える動作をユーザが行うときに、次に表示される第２の表示を下から引っ張り上げて表示部に表示させる感覚をユーザに与えることができる。
【００３７】
（１２）上記態様において、前記制御部は、前記第１表示の少なくとも一部と前記第２表示の少なくとも一部とを同時に前記表示領域に表示させる時で、且つ、前記第１回転角度が前記第２角度範囲内である時、前記表示領域のうち第１表示領域に前記第１表示の少なくとも一部を表示させ、前記表示領域のうちで第２表示領域に前記第２表示の少なくとも一部を表示させ、前記表示領域が前記第１軸に平行な境界線によって分割された２つ領域のうち、前記第１表示領域は、前記ユーザの指先側に位置する領域を示し、前記第２表示領域は、前記２つの領域のうち、前記ユーザの肘側に位置する領域を示してもよい。
【００３８】
このため、第２の角度範囲の状態から第１の角度範囲の状態へと変化させることで同時表示から第２の表示に切り替える動作をユーザが行うときに、次に表示される第２の表示を重力が働いている方向へ落とすことで表示部に表示させる感覚をユーザに与えることができる。
【００３９】
（１３）本開示の別の態様におけるウェアラブル端末は、ユーザの前腕に装着可能なウェアラブル端末であって、表示領域への表示を行う表示部と、前記前腕の延伸方向に平行な第１軸を回転軸として、前記表示部が回転された時の第１回転角度を検知するセンサと、前記第１回転角度に応じて前記表示部を制御する制御部と、を有する本体部と、前記本体部の所定方向の両端に接続され、環状に前記前腕に巻き回されるバンド部と、を備え、前記制御部は、前記第１回転角度が第１角度範囲内である場合に、第１表示を前記表示領域に表示させ、前記第１回転角度が前記第１角度範囲内から前記第１角度範囲と重ならない第２角度範囲内に変化した場合に、前記第１表示の少なくとも一部と前記第１表示とは異なる第２表示の少なくとも一部とを同時に前記表示領域に表示させる。
【００４０】
これによれば、ウェアラブル端末のセンサにより検知された第１の回転角度が第１の角度範囲から第２の角度範囲に変化した場合に、第１の表示を表示している状態から、第１の表示の少なくとも一部と第２の表示の少なくとも一部とを表示する状態へ遷移する。このため、ユーザは、第１の表示の次の表示である第２の表示に切り替わることが示唆された表示を確認することができる。これにより、ユーザは、どのようにウェアラブル端末を回転させれば、次の表示への切り替えが行われるかを知ることができ、容易に次の表示へ切り替えることができる。よって、ユーザは、ほとんど時間を要さずに表示の切り替えを行うことができるため、ウェアラブル端末は、消費電力を低減できる。
【００４１】
（１４）上記態様において、前記制御部は、前記第１表示の少なくとも一部と前記第２表示の少なくとも一部とを同時に前記表示領域に表示させた後に、前記第１回転角度が前記第２角度範囲内から前記第２角度範囲とは重ならない角度範囲内に変化した場合、前記第２表示を前記表示領域に表示させ、前記第１表示を前記表示領域に表示させなくてもよい。
【００４２】
（１５）上記態様において、前記制御部は、前記第１表示の少なくとも一部と前記第２表示の少なくとも一部とを同時に前記表示領域に表示させた後に、前記第１回転角度が前記第２角度範囲内から前記第１角度範囲内に変化した場合、前記第２表示を前記表示領域に表示させ、前記第１表示を前記表示領域に表示させなくてもよい。
【００４３】
このため、ユーザは、同時表示が行われている状態で、ウェアラブル端末の第１の回転角度において第２の角度範囲から第１の角度範囲に変化させるだけで、同時表示を経て第１の表示から第２の表示に表示部の表示を切り替えることができる。
【００４４】
（１６）上記態様において、前記第１表示は、前記ウェアラブル端末にて実行可能な第１アプリケーションを示し、前記第２表示は、前記ウェアラブル端末にて実行可能な前記第１アプリケーションとは異なる第２アプリケーションを示してもよい。
【００４５】
このため、ユーザは、ウェアラブル端末の第１の回転角度を第１の角度範囲から第２の角度範囲に変化させるだけで、第１のアプリケーションを示す表示から第１のアプリケーションを示す表示の少なくとも一部と、第２のアプリケーションを示す表示の少なくとも一部とを同時に表示領域に表示させることができる。
【００４６】
（１７）上記態様において、前記センサは、さらに、第２軸を回転軸として、前記表示部が回転された時の第２回転角度を検知し、前記第２軸は、前記第１回軸に垂直で、且つ、前記ユーザが前記ウェアラブル端末を前腕に装着した際の前記表示部の表示面に平行な平面を前記第１軸と形成し、前記制御部は、更に、前記第２回転角度に応じて前記表示部を制御し、前記第２回転角度が第３角度範囲内であり、かつ、前記第１回転角度が前記第１角度範囲内である場合に、前記第１表示を前記表示領域に表示させ、前記第２回転角度が前記第３角度範囲であり、かつ、前記第１回転角度が前記第１角度範囲内から前記第２角度範囲内に変化した場合に、前記第１表示の少なくとも一部と前記第１表示とは異なる第２表示の少なくとも一部とを同時に前記表示領域に表示させてもよい。
【００４７】
このため、ウェアラブル端末では、第１の回転方向における第１の回転角度だけでなく、第２の回転方向における第２の回転角度に応じても、表示部への表示の切り替えを行うことができる。これにより、制御部は、第２の回転角度の変化を同時表示とは異なる表示への切り替えに利用できる。
【００４８】
（１８）上記態様において、前記センサは、さらに、前記第１軸及び前記第２軸に垂直な第３軸を回転軸として、前記表示部が回転された時の第３回転角度を検知する３軸角速度センサであってもよい。
【００４９】
（１９）上記態様において、前記第１角度範囲は、前記表示部の表示面が重力方向に垂直な平面に対して水平であり且つ前記重力方向とは逆方向を向いている状態を０度とした場合に、−１５度以上１５度未満であり、前記第２角度範囲は、前記表示面が前記重力方向に垂直な平面に対して水平であり且つ前記重力方向とは逆方向を向いている状態を０度とし、かつ、前記ユーザの身体から遠い側に前記表示面が向く方向に前記前腕を旋回させる回転方向を正とした場合に、１５度以上４５度未満であり、前記第３角度範囲は、前記表示面が前記重力方向に垂直な平面に対して水平でありかつ前記重力方向とは逆方向を向いている状態を０度とし、前記ユーザの身体から近い側に前記表示面が向く方向に前記前腕をひねる回転方向を正とした場合に、０度以上４５度未満であってもよい。
【００５０】
このため、ユーザは、手首にウェアラブル端末を装着している場合には、例えば、当該手首が顔に近づく方向に前腕部を旋回させるだけでウェアラブル端末のセンサにより検知されている第１の回転角度を変化させることができる。これにより、ユーザは、容易に第１の表示が表示されている状態から同時表示に切り替えることができる。
【００５１】
（２０）上記態様において、前記制御部は、前記第２回転角度が、前記第３角度範囲と重ならない角度範囲内に変化した場合に、前記表示部の表示をオフにしてもよい。
【００５２】
このため、ウェアラブル端末では、第１の回転方向における第１の回転角度の変化に応じて第１の表示から同時表示への切り替えることだけでなく、第２の回転角度の変化に応じて第１の表示または同時表示から表示部の表示をオフできる。これにより、例えば、制御部がセンサの検知結果に応じて、ユーザが表示部を閲覧していない姿勢であると判断した場合に、表示部の表示をオフにできるため、消費電力を低減できる。また、２つの異なる回転軸による第１の回転角度および第２の回転角度の検出結果に応じて、それぞれ、表示制御の機能と、スリープ制御の機能とを割り当てることにより、表示制御処理とスリープ制御処理とを混同せずに処理させることができる。このため、回転操作を検出することにより２つの異なる機能を効果的に実現させることができる。
【００５３】
（２１）上記態様において、前記第２角度範囲は、第４角度範囲と、第５角度範囲とを含み、前記第４角度範囲から前記第１角度範囲までの回転角は、前記第５角度範囲から前記第１角度範囲までの回転角よりも小さく、前記制御部は、前記第１回転角度が前記第５角度範囲から前記第１角度範囲に再度変化した場合に、前記表示領域に、前記第２表示を表示させ、前記第１表示を表示させず、前記第１回転角度が前記第４角度範囲から前記第１角度範囲に再度変化した場合に、前記表示領域に、前記第１表示を表示させ、前記第２表示を表示させなくてもよい。
【００５４】
これによれば、同時表示が行われている状態において、その後に第１の角度範囲に回転を戻した場合に、第２の角度範囲のうちで第１の角度範囲から遠い第５の角度範囲にあるか近い第４の角度範囲にあるかで、同時表示の後に表示させる表示を異ならせている。また、この場合、第１の角度範囲から遠い第５の角度範囲にあったときには、同時表示から第２の表示に切り替え、第１の角度範囲から近い第４の角度範囲にあったときには、第２の表示に切り替えずに第１の表示に切り替える。このように、第１の表示が表示されている姿勢から同時表示の姿勢までの回転が深い場合には、逆回転されて姿勢が元に戻されれば第２の表示に切り替え、第１の表示が表示されている姿勢から同時表示の姿勢までの回転が浅い場合には、逆回転されて姿勢が元に戻されたとしても第１の表示に戻す。このため、ユーザは、回転させる角度の大きさを調整することにより、同時表示を確認した後に、第２の表示への切り替えか、第１の表示への切り替えかを選択することができる。
【００５５】
（２２）上記態様において、前記第１回転角度が前記第４角度範囲から前記第５角度範囲に変化した場合に、前記第１表示の少なくとも一部と前記第２表示の少なくとも一部とを同時に前記表示領域に表示させ、かつ、前記第１表示から前記第２表示への切り替えを示唆する第３表示を前記表示領域に表示させてもよい。
【００５６】
これによれば、第５の角度範囲に変化した場合に、第３の表示を表示させるため、ユーザに、次に第１の角度範囲に回転を戻した場合に表示される表示が第１の表示の次の第２の表示であることを知らせることができる。このため、ユーザは、同時表示を確認した後に、容易に、第２の表示への切り替えが行われるか、第１の表示への切り替えが行われるかを判断できるため、第２の表示に切り替えるか、第１の表示に切り替えるかを選択することができる。
【００５７】
（２３）上記態様において、前記制御部は、前記第１表示の少なくとも一部と前記第２表示の少なくとも一部とを同時に前記表示領域に表示させる時、且つ、前記第１回転角度が前記第２角度範囲内である時、前記表示領域のうち第１表示領域に前記第２表示の少なくとも一部を表示させ、前記表示領域のうち第２表示領域に前記第１表示の少なくとも一部を表示させ、前記表示領域が前記前腕に平行な境界線によって分割された２つの領域のうち、前記第１表示領域は前記ユーザの身体から近い領域を示し、前記第２表示領域は、前記ユーザの身体から遠い領域を示してもよい。
【００５８】
このため、第２の角度範囲の状態から第１の角度範囲の状態へと変化させることで同時表示から第２の表示に切り替える動作をユーザが行うときに、次に表示される第２の表示を下から引っ張り上げて表示部に表示させる感覚をユーザに与えることができる。
【００５９】
（２４）上記態様において、前記制御部は、前記第１表示の少なくとも一部と前記第２表示の少なくとも一部とを同時に前記表示領域に表示させる時で、且つ、前記第１回転角度が前記第２角度範囲内である時、前記表示領域のうち第１表示領域に前記第１表示の少なくとも一部を表示させ、前記表示領域のうちで第２表示領域に前記第２表示の少なくとも一部を表示させ、前記表示領域が前記前腕に平行な境界線によって分割された２つの領域のうち、前記第１表示領域は前記ユーザの身体から近い領域を示し、前記第２表示領域は、前記ユーザの身体から遠い領域を示してもよい。
【００６０】
このため、第２の角度範囲の状態から第１の角度範囲の状態へと変化させることで同時表示から第２の表示に切り替える動作をユーザが行うときに、次に表示される第２の表示を重力が働いている方向へ落とすことで表示部に表示させる感覚をユーザに与えることができる。
【００６１】
（２５）上記態様において、前記制御部は、前記第１回転角度が、前記第２角度範囲から、前記第１角度範囲および前記第２角度範囲と重ならない第６角度範囲に変化した後に、前記第６角度範囲から前記第１角度範囲に変化した場合に、前記表示領域に、前記第１表示を表示させ、前記第２表示を表示させなくてもよい。
【００６２】
また、前記制御部は、前記センサにより検知された前記第１の回転角度が、前記第２の角度範囲から、前記第１の角度範囲および前記第２の角度範囲と重ならない第６の角度範囲に変化し、その後に、前記第６の角度範囲から前記第１の角度範囲に変化した場合に、前記表示部に、前記第１の表示を表示させ、前記第２の表示を表示させないとしてもよい。
【００６３】
（２６）上記態様において、前記第２角度範囲は、前記第１角度範囲と前記第６角度範囲との間の角度範囲であってもよい。
【００６４】
また、前記第２の角度範囲は、前記第１の角度範囲と前記第６の角度範囲との間に設けられる角度範囲であってもよい。
【００６５】
なお、これらの全般的または具体的な態様は、システム、方法、集積回路、コンピュータプログラムまたはコンピュータ読み取り可能なＣＤ−ＲＯＭなどの記録媒体記録媒体で実現されてもよく、システム、方法、集積回路、コンピュータプログラムまたは記録媒体の任意な組み合わせで実現されてもよい。また、異なる実施の形態に記載の一部または全部の開示同士を組み合わせて実現してもよい。
【００６６】
以下、本開示の一態様に係るウェアラブル端末および表示制御方法について、図面を参照しながら具体的に説明する。
【００６７】
なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００６８】
（実施の形態１）
以下、図１〜図１０を用いて、実施の形態１を説明する。
【００６９】
［１−１．構成］
本実施の形態において、検出した姿勢に応じてディスプレイに表示する表示を切り替えるウェアラブル端末について説明する。
【００７０】
図１は、実施の形態１に係るウェアラブル端末の外観図である。
【００７１】
図１に示すように、ウェアラブル端末１００は、腕時計のようにユーザの腕に装着される腕時計型端末である。ウェアラブル端末１００は、本体部１０と、バンド部２０とを備える。
【００７２】
本体部１０は、矩形扁平型であり、表示部と、制御部と、センサとの機能的な構成を実現するためのハードウェアを備える。本体部１０は、ウェアラブル端末１００が腕に装着された状態で、腕とは反対側の面に表示面１１を備える。ハードウェアの構成や機能的な構成については後述する。なお、本体部１０は、矩形扁平型に限らずに、楕円形扁平型、円形扁平型などの形状であってもよい。本体部１０は、例えば、金属、ガラス、樹脂などにより構成される。
【００７３】
バンド部２０は、本体部１０の所定方向の両端に接続され、本体部１０とで環状にユーザの腕に巻き回されるバンド状の部材である。なお、バンド部２０は、ユーザの腕に環状に巻き回されることでユーザの腕に装着されればよく、本体部１０とで腕の周囲の全てを囲う形状でなくてもよい。つまり、バンド部は、例えば、本体部１０とで腕の４／５を囲う形状を有しているバンド状の部材であってもよい。バンド部２０は、例えば、シリコーンなどの樹脂、金属、革（人工皮革を含む）などにより構成される。
【００７４】
ここで、ウェアラブル端末１００を腕（前腕部）に装着した際の、腕（前腕部）が延びる方向に延伸する回転軸をＸ軸とする。また、本体部１０の表示面１１が水平かつ天井側（重力が働く方向とは反対側）を向いている状態において、本体部１０における所定方向に延伸する回転軸をＹ軸とする。以下では、Ｘ軸に平行な方向をＸ軸方向とし、Ｙ軸に平行な方向をＹ軸方向とする。また、本体部１０の表示面１１が水平かつ天井側（重力が働く方向とは反対側）を向いている状態において、鉛直方向（表示面１１に垂直な方向）をＺ軸方向とする。
【００７５】
図２は、実施の形態１に係るウェアラブル端末のハードウェア構成を示すブロック図である。
【００７６】
図２に示すように、ウェアラブル端末１００は、ハードウェア構成として、ＣＰＵ１０１（Ｃｅｎｔｒａｌ  Ｐｒｏｃｅｓｓｉｎｇ  Ｕｎｉｔ）と、メインメモリ１０２と、ストレージ１０３と、通信ＩＦ１０４（Ｉｎｔｅｒｆａｃｅ）と、加速度センサ１０５と、３軸角速度センサ１０６と、ディスプレイ１０７とを備える。
【００７７】
ＣＰＵ１０１は、ストレージ１０３等に記憶された制御プログラムを実行するプロセッサである。
【００７８】
メインメモリ１０２は、ＣＰＵ１０１が制御プログラムを実行するときに使用するワークエリアとして用いられる揮発性の記憶領域である。
【００７９】
ストレージ１０３は、制御プログラム、コンテンツなどを保持する不揮発性の記憶領域である。
【００８０】
通信ＩＦ１０４は、ネットワークを介して他の装置との間でデータを送受信するネットワークインタフェースである。通信ＩＦ１０４は、例えば、ＩＥＥＥ８０２．１１ａ、ｂ、ｇ規格に適合した無線ＬＡＮ（Ｌｏｃａｌ  Ａｒｅａ  Ｎｅｔｗｏｒｋ）インタフェースである。
【００８１】
加速度センサ１０５は、ウェアラブル端末１００の加速度を検出するセンサである。
【００８２】
３軸角速度センサ１０６は、ウェアラブル端末１００の異なる３方向を軸とした３軸周りそれぞれの回転における角速度を検出するセンサである。
【００８３】
ディスプレイ１０７は、画像を含む映像を表示する表示装置である。例えば、ディスプレイ１０７は、液晶ディスプレイ、有機ＥＬディスプレイなどである。
【００８４】
図３は、実施の形態１に係るウェアラブル端末の機能構成を示すブロック図である。
【００８５】
図３に示すように、ウェアラブル端末１００は、機能構成として、センサ１１１と、制御部１１２と、表示部１１３と、を備える。
【００８６】
センサ１１１は、ウェアラブル端末１００の表示部１１３の、第１の回転方向における第１の回転角度を検知する。また、センサ１１１は、表示部１１３の、第１の回転方向とは回転軸が異なる第２の回転方向における第２の回転角度を検知してもよい。また、センサ１１１は、第１の回転方向および第２の回転方向とは回転軸が異なる第３の回転方向における第３の回転角度を検知してもよい。つまり、センサ１１１は、３軸角速度センサ１０６により実現される。なお、センサ１１１は、加速度センサ１０５によって実現してもよいし、加速度センサ１０５および３軸角速度センサ１０６との組み合わせによって実現してもよい。
【００８７】
ここで、センサ１１１により検知される、第１の回転角度、第２の回転角度および第３の回転角度について図４〜図６を用いて具体的に説明する。
【００８８】
まず、第１の回転方向とはＹ軸周りの回転方向を示し、第２の回転方向とはＸ軸周りの回転方向を示し、第３の回転方向とはＺ軸方向に平行なＺ軸周りの回転方向を示す。本実施の形態では、第１の回転方向、第２の回転方向、および、第３の回転方向は、互いに、直交する方向である。
【００８９】
図４は、実施の形態１に係る第１の回転角度が第１の角度範囲である場合について説明するための図である。図５は、実施の形態１に係る第１の回転角度が第２の角度範囲である場合について説明するための図である。図６は、実施の形態１に係る第２の回転角度が第３の角度範囲である場合について説明するための図である。
【００９０】
まず、図４〜図６に示すように、第１の回転角度も第２の回転角度も、表示部１１３を構成するディスプレイ１０７の表示面１１が地面に対して水平かつ天井（地面とは反対）側を向いている状態を基準姿勢とし、基準姿勢からの回転角度とする。つまり、第１の回転角度および第２の回転角度は、重力がかかる方向に対して表示面１１が略垂直に交差し、かつ、重力がかかる側とは反対側を表示面１１が向いている状態を０度とした場合に、０度からどのくらい回転したかを示す角度とする。
【００９１】
第１の角度範囲θ１は、図４に示すように、Ｙ軸を回転軸とする第１の回転方向において、基準姿勢を０度とした場合に、例えば、−１５度以上１５度未満の角度範囲である。
【００９２】
第２の角度範囲θ２は、図５に示すように、Ｙ軸を回転軸とする第１の回転方向において、基準姿勢を０度とし、かつ、ユーザの身体の外側に表示面１１が向く方向に腕を旋回させる回転方向を正とした場合に、例えば、１５度以上４５度未満の角度範囲である。なお、図５は、ユーザの左手首にウェアラブル端末１００を装着した例を示しているが、ユーザの右手首にウェアラブル端末１００を装着した場合には、Ｘ軸方向に反転した角度範囲となる。つまり、図５では、左回転が正の回転方向であるが、右手首にウェアラブル端末１００を装着した場合には、右回転が正の回転方向となる。なお、ウェアラブル端末１００が左手首に装着されたか、右手首に装着されたかは、ユーザがウェアラブル端末１００に対して後から設定できるようにしてもよく、この場合、制御部１１２は、設定された情報に応じて、回転方向の正負を判断してもよい。また、左手首に装着されることが前提で、予め左回転が正の回転方向であることが設定されていてもよい。なお、図４および図５においては、紙面に向かって奥側を画面の表示上方向としている。すなわち左手首にウェアラブル端末１００を装着した場合に、図におけるウェアラブル端末１００の向かって右側に手が、ウェアラブル端末１００の向かって左側に腕が来る。よって、左手首にウェアラブル端末１００を装着した場合、腕を略水平の状態から、手首側を上に上げた状態にすることで、第１の角度範囲θ１から第２の角度範囲θ２に変更できることになる。
【００９３】
なお、図５において、第１の角度範囲θ１と第２の角度範囲θ２とは、互いに隣接する角度範囲であるが、これに限らずに、第１の角度範囲と第２の角度範囲との間に所定の角度（例えば２度）の隙間が設けられていてもよい。
【００９４】
第３の角度範囲θ３は、図６に示すように、Ｘ軸を回転軸とする第２の回転方向において、基準姿勢を０度とし、かつ、ユーザの身体側に表示面１１が向く方向に腕をひねる回転方向を正とした場合に、例えば、０度以上４５度未満の角度範囲である。つまり、ユーザが身体の前方に前腕部が左右方向沿って位置するようにすることで、ウェアラブル端末１００の表示面１１を確認する姿勢を取る場合、ユーザの身体に近い側（図６のＹ軸方向マイナス側）に表示面１１が傾くように腕をひねる回転方向（図６の左回転の回転方向）が正の回転方向となる。なお、第２の回転方向では、ウェアラブル端末１００を左手首に装着した場合でも、右手首に装着した場合であっても、図６の左回転の回転方向が正の回転方向となる。
【００９５】
以上のように第１の角度範囲θ１、第２の角度範囲θ２および第３の角度範囲θ３が定められているため、ユーザは、手首にウェアラブル端末１００を装着している場合には、例えば、当該手首が顔に近づく方向に前腕部を旋回させるだけでウェアラブル端末１００のセンサ１１１により検知されている第１の回転角度を変化させることができる。これにより、ユーザは、容易に第１の表示２０１が表示されている状態から同時表示に切り替えることができる。
【００９６】
制御部１１２は、表示部１１３の表示を制御する。制御部１１２は、センサ１１１により検知された第２の回転角度が第３の角度範囲θ３であるか否か、および、センサ１１１により検知された第１の回転角度が第１の角度範囲θ１であるか否かを判定し、判定の結果、第２の回転角度が第３の角度範囲θ３であり、かつ、第１の回転角度が第１の角度範囲θ１である場合に、第１の表示を表示部１１３に表示させる。また、制御部１１２は、センサ１１１により検知された第２の回転角度が第３の角度範囲θ３であるか否か、および、センサ１１１により検知された第１の回転角度が第１の角度範囲θ１から第２の角度範囲θ２に変化したか否かを判定し、判定の結果、第２の回転角度が第３の角度範囲θ３であり、かつ、第１の回転角度が第１の角度範囲θ１から第２の角度範囲θ２に変化した場合に、第１の表示の一部と第１の表示とは異なる第２の表示の一部とを同時に表示領域内に表示させる同時表示を行う。
【００９７】
また、制御部１１２は、第２の回転角度が、第３の角度範囲θ３と重ならない角度範囲に変化した場合に、表示部１１３の表示をオフにしてもよい。
【００９８】
また、制御部１１２は、同時表示を行った後において、センサ１１１により検知された第１の回転角度が第２の角度範囲θ２から第１の角度範囲θ１に再度変化したか否かを判定し、判定の結果、第１の回転角度が第２の角度範囲θ２から第１の角度範囲θ１に再度変化した場合に、表示部１１３に、第２の表示を表示させ、第１の表示を表示させない表示制御を行ってもよい。
【００９９】
表示部１１３は、表示領域への表示を行う。
【０１００】
［１−２．動作］
以上のように構成されたウェアラブル端末１００の動作について、図７〜図１０を用いて説明する。
【０１０１】
まず、ウェアラブル端末１００のスリープ制御について図７および図８を用いて説明する。
【０１０２】
図７は、実施の形態１に係るウェアラブル端末のスリープ制御の一例を説明するためのフローチャートである。図８は、実施の形態１に係る制御部によるスリープ制御において表示される表示と、ウェアラブル端末の姿勢との関係を示す図である。
【０１０３】
まず、制御部１１２は、センサ１１１により検知された第２の回転角度が第３の角度範囲θ３内であるか否かを判定する（Ｓ１０１）。
【０１０４】
制御部１１２は、センサ１１１により検知された第２の回転角度が第３の角度範囲θ３内であると判定した場合（Ｓ１０１でＹｅｓ）、第１の表示、第２の表示、同時表示などそのときに応じた適切な表示を表示部１１３に表示させる（Ｓ１０２）。具体的には、制御部１１２は、第２の回転角度が第３の角度範囲θ３内であると判定した場合、図８の（ａ）に示すように、例えば、第１の表示２０１を表示部１１３の表示領域１２に表示させる。
【０１０５】
ここで、第１の表示２０１は、当該ウェアラブル端末１００にて実行可能な第１のアプリケーションを示す表示である。第１のアプリケーションは、本実施の形態では例えば、現在時刻を示す時計（アナログ時計およびデジタル時計の少なくとも一方）のグラフィックを表示するためのアプリケーションである。
【０１０６】
制御部１１２は、センサ１１１により検知された第２の回転角度が第３の角度範囲θ３内でない（つまり、第３の角度範囲θ３と重ならない角度範囲）と判定した場合（Ｓ１０１でＹｅｓ）、表示部１１３の表示をオフにして、表示部１１３をスリープさせる（Ｓ１０３）。これにより、制御部１１２は、表示部１１３に何も表示させない。
【０１０７】
このように、制御部１１２は、第２の回転角度が第３の角度範囲θ３にあるか否かに応じて、表示部１１３に表示を行わせるか否かを切り替えている。このスリープ制御では、ユーザが、ウェアラブル端末１００の表示面１１を見ているか否かを第２の回転角度が第３の角度範囲θ３にあるか否かで判定しており、第２の回転角度が第３の角度範囲θ３内にある場合には、ユーザが表示面１１を見ていると判定し、第２の回転角度が第３の角度範囲θ３内にない場合には、ユーザが表示面１１を見ていないと判定している。このように、ユーザが表示面１１を見ていない場合には、表示部１１３をスリープさせることで、消費電力の低減を図っている。
【０１０８】
なお、このスリープ制御は、ウェアラブル端末１００が起動している状態では、常に行われているものとする。つまり、スリープ制御は、次に説明する表示制御と並行して行われているものとする。
【０１０９】
次に、ウェアラブル端末１００の表示制御について図９および図１０を用いて説明する。
【０１１０】
図９は、実施の形態１に係るウェアラブル端末の表示制御の一例を説明するためのフローチャートである。図１０は、実施の形態１に係る制御部による表示制御において表示される表示と、ウェアラブル端末の姿勢との関係を示す図である。なお、この表示制御は、スリープ制御と並行して行われているため、スリープ制御において表示部１１３に表示を行わせると判定されている状態である時に行われるものとする。
【０１１１】
まず、制御部１１２は、センサ１１１により検知された第１の回転角度が第１の角度範囲θ１内であるか否かを判定する（Ｓ２０１）。
【０１１２】
制御部１１２は、センサ１１１により検知された第１の回転角度が第１の角度範囲θ１内であると判定した場合（Ｓ２０１でＹｅｓ）、第１の表示２０１を表示部１１３の表示領域１２に表示させる（Ｓ２０２）。具体的には、制御部１１２は、スリープ制御も同時に行っているため、図１０の（ａ）に示すように、第２の回転角度が第３の角度範囲θ３であり、かつ、第１の回転角度が第１の角度範囲θ１である場合に、例えば、第１の表示２０１のみを表示部１１３の表示領域１２に表示させる。なお、第１の表示２０１のみを表示させるのではなく、第１の表示２０１とは異なる表示（例えば、アプリの通知表示など）を第１の表示２０１とともに表示させてもよい。
【０１１３】
一方で、制御部１１２は、センサ１１１により検知された第１の回転角度が第１の角度範囲θ１内でないと判定した場合（Ｓ２０１でＮｏ）、表示部１１３をスリープさせる（Ｓ２０９）。
【０１１４】
次に、制御部１１２は、センサ１１１により検知された第１の回転角度が第１の角度範囲θ１から第２の角度範囲θ２に変化したか否かを判定する（Ｓ２０３）。
【０１１５】
制御部１１２は、センサ１１１により検知された第１の回転角度が第１の角度範囲θ１から第２の角度範囲θ２に変化したと判定した場合（Ｓ２０３でＹｅｓ）、第１の表示２０１の一部と第２の表示２０２の一部とを同時に表示部１１３の表示領域１２内に表示させる同時表示を行う（Ｓ２０４）。具体的には、制御部１１２は、スリープ制御も同時に行っているため、図１０の（ａ）および（ｂ）に示すように、第２の回転角度が第３の角度範囲θ３であり、かつ、第１の回転角度が第１の角度範囲θ１から第２の角度範囲θ２に変化した場合（図１０の（ａ）から（ｂ）に示すように第１の回転角度が変化した場合）に、第１の表示２０１の左側の一部と第２の表示２０２の右側の一部とを同時に同一の表示領域１２内に表示させる。なお、ここで、第２の表示２０２は、当該ウェアラブル端末１００にて実行可能な第１のアプリケーションとは異なる第２のアプリケーションを示す表示である。第２のアプリケーションは、本実施の形態では例えば、音楽ファイルを再生する音楽プレーヤーとしてのアプリケーションである。つまり、第２の表示２０２は、当該音楽プレーヤーのＧＵＩ（Ｇｒａｐｈｉｃ  Ｕｓｅｒ  Ｉｎｔｅｒｆａｃｅ）である。
【０１１６】
なお、第１の表示２０１と第２の表示２０２とは、異なるアプリケーションを示す表示に限らずに、画像閲覧アプリ内で表示される第１の画像と第２の画像であってもよい。また、音楽プレーヤーアプリ内で再生される第１の音楽（アルバム）を示す画像と第２の音楽（アルバム）を示す画像でもよい。この場合は第１の表示２０１から第２の表示２０２に切り替えることで併せて曲送りの制御を行ってもよい。その他、異なるアプリケーション同士の異なる画像、または同一のアプリケーション内における異なる画像など、第１の表示２０１と第２の表示２０２はいかなるものでも構わない。
【０１１７】
また、制御部１１２は、同時表示では、第１の回転角度が第２の角度範囲θ２内にあるときのウェアラブル端末１００の姿勢において、表示部１１３の表示領域のうちで、下部（つまり、Ｚ軸方向のマイナス側の一部）に位置する第１の表示領域１２ａに第２の表示２０２の一部（例えば右側の一部）を表示し、当該表示領域１２のうちで、上部（つまり、Ｚ軸方向のプラス側の一部）に位置する第２の表示領域１２ｂに第１の表示２０１の一部（例えば左側の一部）を表示する。この場合の同時表示は、Ｙ軸周りの回転方向で傾いた姿勢において行われるため、第１の表示領域１２ａは、本体部１０の所定方向に直交する方向（図１０の（ｂ）の紙面における左右方向）に２つに分割された表示領域のうちの左側の表示領域であり、第２の表示領域１２ｂは、当該所定方向に交差する方向（図１０の（ｂ）の紙面における左右方向）に２つに分割された表示領域のうちの右側の表示領域である。このため、第２の角度範囲θ２の状態から第１の角度範囲θ１の状態へと変化させることで同時表示から第２の表示２０２に切り替える動作をユーザが行うときに、次に表示される第２の表示２０２を下から引っ張り上げて表示部１１３に表示させる感覚をユーザに与えることができる。
【０１１８】
なお、制御部１１２は、上記と反対の表示を、同時表示において行ってもよい。つまり、制御部１１２は、同時表示では、第１の回転角度が第２の角度範囲θ２内にあるときのウェアラブル端末１００の姿勢において、表示部１１３の表示領域１２のうちで、下部に位置する第１の表示領域１２ａに第１の表示２０１の一部（例えば右側の一部）を表示し、表示領域１２のうちで、上部に位置する第２の表示領域１２ｂに第２の表示２０２の一部（例えば左側の一部）を表示してもよい。このため、第２の角度範囲θ２の状態から第１の角度範囲θ１の状態へと変化させることで同時表示から第２の表示に切り替える動作をユーザが行うときに、次に表示される第２の表示を重力が働いている方向へ落とすことで表示部１１３に表示させる感覚をユーザに与えることができる。
【０１１９】
また、制御部１１２は、第１の表示２０１が表示されている状態から同時表示に移行する場合に、第１の表示２０１が右側にスライドすることにより左側の一部だけが表示され、同時に、第２の表示２０２が表示領域１２の左外側から表示領域１２に向けて右側にスライドすることにより右側の一部だけが表示されるように、第１の表示２０１および第２の表示２０２を右側にスライドさせるような表示を表示部１１３に行わせてもよい。
【０１２０】
また、制御部１１２は、同時表示から第２の表示２０２の表示に移行する場合、同時表示の状態をそのまま右側にスライドさせて、第１の表示２０１の左側の一部が表示領域１２の外側に向けてスライドし、第２の表示２０２が右側の一部だけの表示から徐々に全体が表示されるようにスライドさせるような表示を表示部１１３に行わせてもよい。
【０１２１】
また、制御部１１２は、同時表示の場合に、第１の表示２０１の左側の一部と第２の表示２０２の右側の一部とを表示させているが、これに限らずに、第１の表示２０１の全体を縮小した表示と、第２の表示２０２の全体を縮小した表示とを表示させてもよい。この場合、第１の表示２０１および第２の表示２０２の全体を縮小した表示には、当該表示の縦横の比率を同じままに縮小した表示であってもよいし、縦横の比率を異ならせて縮小した表示であってもよいし、台形、菱形、円形など表示を変形させて縮小した表示であってもよい。
【０１２２】
ステップＳ２０３に戻り、一方で、制御部１１２は、センサ１１１により検知された第１の回転角度が第１の角度範囲θ１から第２の角度範囲θ２に変化していないと判定した場合（Ｓ２０３でＮｏ）、第１の角度範囲θ１のままであるか否かを判定し（Ｓ２０５）、第１の角度範囲θ１のままであれば（Ｓ２０５でＹｅｓ）ステップＳ２０２に戻り第１の表示２０１を表示させたままとする。ステップＳ２０５の判定の結果、第１の角度範囲θ１でない（つまり、第１の角度範囲θ１でも第２の角度範囲θ２でもない）場合（Ｓ２０５でＮｏ）、表示部１１３をスリープさせる（Ｓ２０９）。
【０１２３】
ステップＳ２０４の同時表示の後において、制御部１１２は、第１の回転角度が第２の角度範囲θ２から第１の角度範囲θ１に変化したか否かを判定する（Ｓ２０６）。
【０１２４】
制御部１１２は、センサ１１１により検知された第１の回転角度が第２の角度範囲θ２から第１の角度範囲θ１に変化したと判定した場合（Ｓ２０６でＹｅｓ）、表示部１１３の表示領域１２に第２の表示２０２を表示させ、第１の表示２０１を表示させない（Ｓ２０８）。具体的には、制御部１１２は、図１０の（ｂ）および（ｃ）に示すように、第２の回転角度が第３の角度範囲θ３であり、かつ、第１の回転角度が第２の角度範囲θ２から第１の角度範囲θ１に変化したと判定した場合（図１０の（ｂ）から（ｃ）に示すように第１の回転角度が変化した場合）に、同時表示から、第２の表示２０２のみを表示部１１３の表示領域１２に表示させる。なお、第２の表示２０２のみを表示させるのではなく、第２の表示２０２とは異なる表示（例えば、アプリの通知表示など）を第２の表示２０２とともに表示させてもよい。
【０１２５】
一方で、制御部１１２は、センサ１１１により検知された第１の回転角度が第２の角度範囲θ２から第１の角度範囲θ１に変化していないと判定した場合（Ｓ２０６でＮｏ）、第２の角度範囲θ２のままであるか否かを判定し（Ｓ２０７）、第２の角度範囲θ２のままであれば（Ｓ２０７でＹｅｓ）ステップＳ２０４に戻り同時表示のままとする。ステップＳ２０７の判定の結果、第２の角度範囲θ２でない（つまり、第１の角度範囲θ１でも第２の角度範囲θ２でもない）場合（Ｓ２０７でＮｏ）、表示部１１３をスリープさせる（Ｓ２０９）。
【０１２６】
［１−３．効果等］
以上のように、本実施の形態に係るウェアラブル端末１００によれば、ウェアラブル端末１００のセンサ１１１により検知された第１の回転角度が第１の角度範囲θ１から第２の角度範囲θ２に変化した場合に、第１の表示２０１を表示している状態から、第１の表示２０１の一部と第２の表示２０２の一部とを表示する状態へ遷移する。このため、ユーザは、第１の表示２０１の次の表示である第２の表示２０２に切り替わることが示唆された同時表示を確認することができる。これにより、ユーザは、どのようにウェアラブル端末１００を回転させれば、次の表示への切り替えが行われるかを知ることができ、容易に次の表示へ切り替えることができる。よって、ユーザは、ほとんど時間を要さずに表示の切り替えを行うことができるため、ウェアラブル端末１００は、消費電力を低減できる。
【０１２７】
また、ウェアラブル端末１００によれば、制御部１１２は、同時表示を行った後において、センサ１１１により検知された第１の回転角度が第２の角度範囲θ２から第１の角度範囲θ１に再度変化した場合に、表示部１１３に、第２の表示２０２を表示させ、第１の表示２０１を表示させない。このため、ユーザは、同時表示が行われている状態で、ウェアラブル端末１００の第１の回転角度を第１の角度範囲に変化させるだけで、同時表示を経て第１の表示２０１から第２の表示２０２に表示部１１３の表示を切り替えることができる。
【０１２８】
また、第１の表示２０１は、当該ウェアラブル端末１００にて実行可能な第１のアプリケーションを示す表示で有り、第２の表示２０２は、当該ウェアラブル端末１００にて実行可能な第１のアプリケーションとは異なる第２のアプリケーションを示す表示である。このため、ユーザは、同時表示が行われている状態で、ウェアラブル端末１００の第１の回転角度を第２の角度範囲θ２から第１の角度範囲θ１に変化させるだけで、第１のアプリケーションを示す表示と第２のアプリケーションを示す表示とを同時に表示部１１３の表示領域１２に表示させることができる。
【０１２９】
また、ウェアラブル端末１００では、センサ１１１が第１の回転方向とは回転軸が異なる第２の回転方向における第２の回転角度を検知し、制御部１１２は、センサ１１１により検知された結果において、前２の回転角度が第３の角度範囲θ３であり、かつ、第１の回転角度が第１の角度範囲θ１である場合に、第１の表示２０１を表示部１１３に表示させ、センサ１１１により検知された結果において、第２の回転角度が第３の角度範囲θ３であり、かつ、第１の回転角度が第１の角度範囲θ１から第２の角度範囲θ２に変化した場合に、同時表示を行う。このため、ウェアラブル端末１００では、第１の回転方向における第１の回転角度だけでなく、第２の回転方向における第２の回転角度に応じても、表示部１１３への表示の切り替えを行うことができる。これにより、制御部１１２は、第２の回転角度の変化を同時表示とは異なる表示への切り替えに利用できる。
【０１３０】
また、当該ウェアラブル端末１００を腕に装着した際の、腕が延びる方向に延伸する回転軸をＸ軸とし、本体部１０における所定方向に延伸する回転軸をＹ軸としたとき、第１の回転方向とはＹ軸周りの回転方向を示し、第２の回転方向とはＸ軸周りの回転方向を示す。このため、ユーザは、手首にウェアラブル端末１００を装着している場合には、例えば、当該手首が顔に近づく方向に前腕部を旋回させるだけでウェアラブル端末１００のセンサ１１１により検知されている第１の回転角度を変化させることができる。これにより、ユーザは、容易に第１の表示２０１から同時表示に切り替えることができる。
【０１３１】
また、ウェアラブル端末１００では、制御部１１２は、第２の回転角度が、第３の角度範囲θ３と重ならない角度範囲に変化した場合に、表示部１１３の表示をオフにする。このため、ウェアラブル端末１００では、第１の回転方向における第１の回転角度の変化に応じて第１の表示２０１から同時表示への切り替えることだけでなく、第２の回転角度の変化に応じて第１の表示２０１または同時表示から表示部１１３の表示をオフできる。これにより、例えば、制御部１１２がセンサ１１１の検知結果に応じて、ユーザが表示部１１３を閲覧していない姿勢であると判断した場合に、表示部１１３の表示をオフにできるため、消費電力を低減できる。また、２つの異なる回転軸による第１の回転角度および第２の回転角度の検出結果に応じて、それぞれ、表示制御（表示の切り替え処理）の機能と、スリープ制御（スリープ状態への切り替え処理）の機能とを割り当てることにより、表示制御処理とスリープ制御処理とを混同せずに処理させることができる。このため、回転操作を検出することにより２つの異なる機能を効果的に実現させることができる。
【０１３２】
（変形例１）
次に、実施の形態１の変形例１について説明する。
【０１３３】
上記実施の形態１では、同時表示が行われた後において、ウェアラブル端末１００の第１の回転角度が第２の角度範囲θ２から第１の角度範囲θ１に変化した場合に、第２の表示２０２を表示部１１３の表示領域１２に表示させるとしたが、これに限らない。具体的には、第２の角度範囲θ２を２つの角度範囲にさらに分割して、分割することにより区分された２つの角度範囲のどちらから第１の角度範囲θ１に変化したかをさらに判定することにより、判定結果に応じて、同時表示の状態から第１の表示２０１および第２の表示２０２のいずれかを表示するようにしてもよい。
【０１３４】
図１１は、実施の形態１の変形例１に係る第１の回転角度が第４の角度範囲または第５の角度範囲である場合について説明するための図である。
【０１３５】
図１１に示すように、第２の角度範囲θ２は、第１の角度範囲θ１側（負の回転方向側）に設けられる第４の角度範囲θ２１と、第４の角度範囲θ２１を挟んで第１の角度範囲θ１とは反対側（第４の角度範囲θ２１の正の回転方向側）に設けられる第５の角度範囲θ２２とに区分される。つまり、第２の角度範囲θ２は、第４の角度範囲θ２１と、第５の角度範囲θ２２とを含む。なお、図１１において、第４の角度範囲θ２１と第５の角度範囲θ２２とは、互いに隣接する角度範囲であるが、これに限らずに、第４の角度範囲と第５の角度範囲との間に所定の角度（例えば２度）の隙間が設けられていてもよい。
【０１３６】
次に、実施の形態１の変形例１における、ウェアラブル端末１００の動作について図１２を用いて説明する。
【０１３７】
図１２は、実施の形態１の変形例１に係るウェアラブル端末の表示制御の一例を説明するためのフローチャートである。図１３は、実施の形態１の変形例１に係る制御部による、第４の角度範囲から第１の角度範囲に変化した場合の、表示制御において表示される表示と、ウェアラブル端末の姿勢との関係を示す図である。図１４は、実施の形態１の変形例１に係る制御部による、第５の角度範囲から第１の角度範囲に変化した場合の、表示制御において表示される表示と、ウェアラブル端末の姿勢との関係を示す図である。
【０１３８】
図１２では、図９で説明した実施の形態１の表示制御と比較して、ステップＳ２０６でＹｅｓと判定された後に、ステップＳ２１０の判定を行うことのみが異なるため、ステップＳ２１０のみについて説明する。
【０１３９】
制御部１１２は、ステップＳ２０６でＹｅｓと判定した場合、ステップＳ２０６において第１の角度範囲θ１に変化する前に、第２の角度範囲θ２のうちの第４の角度範囲θ２１から変化したのか、第５の角度範囲θ２２から変化したのかを判定する（Ｓ２１０）。
【０１４０】
制御部１１２は、第４の角度範囲θ２１から第１の角度範囲θ１に変化したと判定した場合（Ｓ２１０で第４の角度範囲）、ステップＳ２０２に戻り第１の表示２０１を表示させる。具体的には、制御部１１２は、図１３の（ａ）および（ｂ）に示すように、第４の角度範囲θ２１から第１の角度範囲θ１に変化した場合（図１３の（ａ）から（ｂ）に示すように第１の回転角度が変化した場合）に、同時表示から、第１の表示２０１のみを表示部１１３の表示領域１２に表示させる。なお、第１の表示２０１のみを表示させるのではなく、第１の表示２０１とは異なる表示（例えば、アプリの通知表示など）を第１の表示２０１とともに表示させてもよい。
【０１４１】
一方で、制御部１１２は、第５の角度範囲θ２２から第１の角度範囲θ１に変化したと判定した場合（Ｓ２１０で第５の角度範囲）、ステップＳ２０８に移行し第２の表示２０２を表示させる。具体的には、制御部１１２は、図１４の（ａ）および（ｂ）に示すように、第５の角度範囲θ２２から第１の角度範囲θ１に変化した場合（図１４の（ａ）から（ｂ）に示すように第１の回転角度が変化した場合）に、同時表示から、第２の表示２０２のみを表示部１１３の表示領域１２に表示させる。なお、第２の表示２０２のみを表示させるのではなく、第２の表示２０２とは異なる表示（例えば、アプリの通知表示など）を第２の表示２０２とともに表示させてもよい。
【０１４２】
このように、ステップＳ２１０を行うことにより、制御部１１２は、センサ１１１により検知された結果において、第１の回転角度が第５の角度範囲θ２２から第１の角度範囲θ１に再度変化した場合に、表示部１１３の表示領域１２に、第２の表示２０２を表示させ、第１の表示２０１を表示させず、センサ１１１により検知された結果において、第１の回転角度が第４の角度範囲θ２１から第１の角度範囲θ１に再度変化した場合に、表示部１１３の表示領域１２に、第１の表示２０１を表示させ、第２の表示２０２を表示させない。
【０１４３】
これによれば、同時表示が行われている状態において、その後に第１の角度範囲θ１に回転を戻した場合に、第２の角度範囲θ２のうちで第１の角度範囲θ１から遠い第５の角度範囲θ２２にあるか近い第４の角度範囲θ２１にあるかで、同時表示の後に表示させる表示を異ならせている。また、この場合、第１の角度範囲θ１から遠い第５の角度範囲θ２２にあったときには、同時表示から第２の表示２０２に切り替え、第１の角度範囲θ１から近い第４の角度範囲θ２１にあったときには、第２の表示２０２に切り替えずに第１の表示２０１に切り替える。このように、第１の表示２０１が表示されている姿勢から同時表示の姿勢までの回転が深い場合には、逆回転されて姿勢が元に戻されれば第２の表示２０２に切り替え、第１の表示２０１が表示されている姿勢から同時表示の姿勢までの回転が浅い場合には、逆回転されて姿勢が元に戻されたとしても第１の表示２０１に戻す。このため、ユーザは、回転させる角度の大きさを調整することにより、同時表示を確認した後に、第２の表示２０２への切り替えか、第１の表示２０１への切り替えかを選択することができる。
【０１４４】
また、同時表示の際には、図１４の（ａ）に示すように、第５の角度範囲θ２２に変化したことを示す第３の表示２０３を同時表示とともに行ってもよい。第３の表示２０３は、例えば、同時表示における、全体の色を変化させた後の表示や、外周の色を変化させる表示などである。つまり、制御部１１２は、センサ１１１により検知された第１の回転角度が第４の角度範囲θ２１から第５の角度範囲θ２２に変化した場合に、同時表示を行い、かつ、第１の表示２０１から第２の表示２０２への切り替えを示唆する第３の表示２０３を表示してもよい。
【０１４５】
これによれば、第５の角度範囲θ２２に変化した場合に、第３の表示２０３を表示させるため、ユーザに、次に第１の角度範囲θ１に回転を戻した場合に表示される表示が第１の表示２０１の次の第２の表示２０２であることを知らせることができる。このため、ユーザは、同時表示を確認した後に、容易に、第２の表示２０２への切り替えが行われるか、第１の表示２０１への切り替えが行われるかを判断できるため、第２の表示２０２に切り替えるか、第１の表示２０１に切り替えるかを選択することができる。
【０１４６】
（変形例２）
次に、実施の形態１の変形例２について説明する。
【０１４７】
上記実施の形態１では、第１の回転角度の他に第２の回転角度を判定することにより、スリープ制御を行っているが、第２の回転角度の判定は行わなくてもよく、スリープ制御も行わなくてもよい。この場合、具体的には、制御部１１２は、センサ１１１により検知された第１の回転角度が第１の角度範囲θ１であるか否かを判定し、判定の結果、第１の回転角度が第１の角度範囲θ１である場合に、第１の表示を表示部１１３に表示させる。また、制御部１１２は、センサ１１１により検知された第１の回転角度が第１の角度範囲θ１から第１の角度範囲θ１と重ならない第２の角度範囲θ２に変化したか否かを判定し、判定の結果、第１の角度範囲θ１が第２の角度範囲θ２に変化した場合に、表示部１１３に表示させている第１の表示の一部と第１の表示とは異なる第２の表示の一部とを同時に表示部１１３の表示領域内に表示させる同時表示を行う。
【０１４８】
（実施の形態２）
以下、図１５〜図１７を用いて、実施の形態２を説明する。
【０１４９】
実施の形態２に係るウェアラブル端末１００は、実施の形態１のウェアラブル端末１００の構成は同じであるが、制御部１１２による表示制御の内容が異なるため、制御部１１２の表示制御について説明する。
【０１５０】
実施の形態１では、制御部１１２は、第１の回転方向をＹ軸周りの回転方向として、角度範囲を判定していたが、Ｘ軸周りの回転方向として角度範囲を判定してもよい。
【０１５１】
図１５は、実施の形態２に係る第１の回転角度の角度範囲について説明するための図である。なお、基準姿勢は、実施の形態１と同じであるとする。
【０１５２】
この場合、第１の角度範囲θ１ａは、図１５に示すように、Ｘ軸を回転軸とする第１の回転方向において、基準姿勢を０度とし、かつ、ユーザの身体側に表示面１１が向く方向に腕をひねる回転方向を正とした場合に、例えば、０度以上４５度未満の角度範囲である。
【０１５３】
第２の角度範囲θ２ａは、図１５に示すように、Ｘ軸を回転軸とする第１の回転方向において、基準姿勢を０度とし、かつ、ユーザの身体側に表示面１１が向く方向に腕をひねる回転方向を正とした場合に、例えば、−３０度以上０度未満の角度範囲である。
【０１５４】
第６の角度範囲θ６は、図１５に示すように、Ｘ軸を回転軸とする第１の回転方向において、基準姿勢を０度とし、かつ、ユーザの身体側に表示面１１が向く方向に腕をひねる回転方向を正とした場合に、例えば、４５度以上１８０度未満および−１８０度以上−３０度未満の角度範囲である。
【０１５５】
なお、上記の角度範囲は、負の角度範囲についても表記しているが、正の角度範囲として表記してもよい。つまり、正の角度範囲のみで表記する場合、第２の角度範囲θ２ａは、３３０度以上３６０度未満の角度範囲であり、第６の角度範囲は、４５度以上３３０度未満の角度範囲である。
【０１５６】
このように、第２の角度範囲θ２ａは、第１の角度範囲θ１ａと第６の角度範囲θ６との間に設けられる角度範囲である。なお、図１５において、第１の角度範囲θ１ａおよび第２の角度範囲θ２ａは、互いに隣接する角度範囲であるが、これに限らずに、第１の角度範囲θ１ａと第２の角度範囲θ２ａとの間に所定の角度（例えば２度）の隙間が設けられていてもよい。また、第２の角度範囲θ２ａおよび第６の角度範囲θ６の間および第６の角度範囲θ６と第１の角度範囲θ１ａとの間についても同様である。
【０１５７】
以上のように構成されたウェアラブル端末１００の動作について、図１６〜図１８を用いて説明する。
【０１５８】
まず、制御部１１２は、センサ１１１により検知された第１の回転角度が第１の角度範囲θ１ａ内であるか否かを判定する（Ｓ３０１）。
【０１５９】
制御部１１２は、センサ１１１により検知された第１の回転角度が第１の角度範囲θ１ａ内であると判定した場合（Ｓ３０１でＹｅｓ）、図１７の（ａ）に示すように、第１の表示２０１を表示部１１３の表示領域１２に表示させる（Ｓ３０２）。
【０１６０】
一方で、制御部１１２は、センサ１１１により検知された第１の回転角度が第１の角度範囲θ１ａ内でないと判定した場合（Ｓ３０１でＮｏ）、表示部１１３をスリープさせる（Ｓ３０９）。
【０１６１】
次に、制御部１１２は、センサ１１１により検知された第１の回転角度が第１の角度範囲θ１ａから第２の角度範囲θ２ａに変化したか否かを判定する（Ｓ３０３）。
【０１６２】
制御部１１２は、図１７の（ｂ）に示すように、センサ１１１により検知された第１の回転角度が第１の角度範囲θ１ａから第２の角度範囲θ２ａに変化したと判定した場合（Ｓ３０３でＹｅｓ）、第１の表示２０１の一部と第２の表示２０２の一部とを同時に表示部１１３の表示領域１２内に表示させる同時表示を行う（Ｓ３０４）。同時表示では、実施の形態１と同様に、同時表示におけるウェアラブル端末１００の姿勢において、表示部１１３の表示領域のうちで、下部（つまり、Ｚ軸方向のマイナス側の一部）に位置する第１の表示領域に第２の表示２０２の一部を表示し、当該表示領域１２のうちで、上部（つまり、Ｚ軸方向のプラス側の一部）に位置する第２の表示領域に第１の表示２０１の一部を表示する。しかし、実施の形態１とは異なり、実施の形態２の同時表示は、Ｘ軸周りに傾いた姿勢において行われるため、第１の表示領域１２ｃは、本体部１０の所定方向（図１７の（ｂ）の紙面における上下方向）に２つに分割された表示領域のうちの下側の表示領域であり、第２の表示領域１２ｄは、当該所定方向（図１７の（ｂ）の紙面における上下方向）に２つに分割された表示領域のうちの上側の表示領域である。また、第１の表示２０１の一部として第１の表示２０１の上側の一部を第１の表示領域１２ｃに表示させ、第２の表示２０２の一部として第２の表示２０２の下側の一部を第２の表示領域１２ｄに表示させる。
【０１６３】
このように、Ｘ軸周りの回転方向の角度範囲に応じて表示制御を行う場合であっても、第２の角度範囲θ２の状態から第１の角度範囲θ１の状態へと変化させることで同時表示から第２の表示２０２に切り替える動作をユーザが行うときに、次に表示される第２の表示２０２を下から引っ張り上げて表示部１１３に表示させる感覚をユーザに与えることができる。
【０１６４】
一方で、制御部１１２は、センサ１１１により検知された第１の回転角度が第１の角度範囲θ１ａから第２の角度範囲θ２ａに変化していないと判定した場合（Ｓ３０３でＮｏ）、第６の角度範囲θ６であるか否かを判定し（Ｓ３０５）、第６の角度範囲θ６であれば（Ｓ３０５でＹｅｓ）、図１８の（ｂ）に示すように、表示部１１３をスリープさせる（Ｓ３０９）。ステップＳ３０５の判定の結果、第６の角度範囲θ６でない場合（Ｓ３０５でＮｏ）、第１の角度範囲θ１ａのままであるので、ステップＳ３０２に戻り第１の表示２０２を表示させる。
【０１６５】
ステップＳ３０４の同時表示の後において、制御部１１２は、第１の回転角度が第２の角度範囲θ２ａから第１の角度範囲θ１ａに変化したか否かを判定する（Ｓ３０６）。
【０１６６】
制御部１１２は、センサ１１１により検知された第１の回転角度が第２の角度範囲θ２ａから第１の角度範囲θ１ａに変化したと判定した場合（Ｓ３０６でＹｅｓ）、図１７の（ｃ）に示すように、表示部１１３の表示領域１２に第２の表示２０２を表示させ、第１の表示２０１を表示させない（Ｓ３０８）。
【０１６７】
一方で、制御部１１２は、センサ１１１により検知された第１の回転角度が第２の角度範囲θ２ａから第１の角度範囲θ１に変化していないと判定した場合（Ｓ３０６でＮｏ）、第６の角度範囲θ６であるか否かを判定し（Ｓ３０７）、第６の角度範囲θ６であれば（Ｓ３０７でＹｅｓ）、表示部１１３をスリープさせる（Ｓ３０９）。ステップＳ３０７の判定の結果、第６の角度範囲θ６でない場合（Ｓ３０７でＮｏ）、第２の角度範囲θ２ａのままであるので、同時表示のままとする。
【０１６８】
以上のように、制御部１１２は、第１の回転方向をＹ軸周りの回転方向として、角度範囲を判定していたが、Ｘ軸周りの回転方向として角度範囲を判定しても実施の形態１と同様の効果を奏することができる。
【０１６９】
なお、図１８の（ａ）〜（ｃ）に示すように、第１の角度範囲θ１ａから一度第６の角度範囲θ６に移行した場合はスリープ状態となり、その後再び第１の角度範囲θ１ａに以降した場合でも、第１の表示を表示させる。この際、第１の角度範囲θ１ａから第６の角度範囲θ６に移行する過程で、第２の角度範囲θ２ａを一時的に通過している場合があるが、その場合でも第２の表示ではなく第１の表示を表示させる。このような状態の場合、ユーザには第２の表示を表示させる意思は低く、スリープ状態にする過程で第２の角度範囲θ２ａをたまたま通過した可能性が高い。よって、このように一度スリープ状態になってから再び第１の角度範囲θ１ａに戻った場合に、第２の表示ではなく第１の表示を表示することで、ユーザの意図しない表示切替を防ぐことが出来る。
【０１７０】
（他の実施の形態）
上記実施の形態では、制御部１１２は、同時表示を、ウェアラブル端末１００の第１の回転角度がどの角度範囲にあるか否かをトリガとして行っているが、これに限らない。例えば、センサとして、ウェアラブル端末に人が手を握ったことを検知する筋電センサを設けておき、筋電センサの検知結果に応じて、同時表示を行ってもよい。具体的には、手を握ったことを検知したときに同時表示を行うようにしてもよい。また、手を握ったことを検知している状態で、ウェアラブル端末１００の第１の回転角度が所定の角度範囲内にあれば第１の表示から第２の表示へ切り替えたり、音楽プレーヤーの楽曲送りを行わせたりしてもよい。
【０１７１】
また、外部の端末と無線通信によって連携することで、外部の端末に対して所定の操作が行われたときに、同時表示を行ってもよい。外部の端末としては、例えば、指輪状の端末が考えられる。指輪状の端末は、加速度センサや３軸角度センサなどを有しており、ジェスチャを検知できるものとする。このように、外部の端末で検知されたジェスチャをトリガとして同時表示を行ってもよい。また、指輪状の端末は、入力を受け付けるボタンを有していてもよく、ボタンが押された状態でウェアラブル端末１００の第１の回転角度が所定の角度範囲内にあれば第１の表示から第２の表示へ切り替えたり、音楽プレーヤーの楽曲送りを行わせたりしてもよい。
【０１７２】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の表示制御方法などを実現するソフトウェアは、次のようなプログラムである。
【０１７３】
すなわち、このプログラムは、コンピュータに、表示領域への表示を行う表示部と、前記表示部の、第１の回転方向における第１の回転角度を検知するセンサと、前記表示部の表示を制御する制御部と、を備えるウェアラブル端末における表示制御方法であって、前記センサにより検知された前記第１の回転角度が第１の角度範囲内である場合に、第１の表示を前記表示部に表示させ、前記センサにより検知された前記第１の回転角度が前記第１の角度範囲から前記第１の角度範囲と重ならない第２の角度範囲に変化した場合に、前記第１の表示の少なくとも一部と前記第１の表示とは異なる第２の表示の少なくとも一部とを同時に前記表示領域内に表示させる同時表示を実行させる。
【０１７４】
以上、本開示の一つまたは複数の態様に係るウェアラブル端末について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の一つまたは複数の態様の範囲内に含まれてもよい。
【産業上の利用可能性】
【０１７５】
本開示は、ユーザがどのように回転させれば、次の表示への切り替えが行われるかを知らせることができるウェアラブル端末などとして有用である。
【符号の説明】
【０１７６】
１０  本体部
１１  表示面
１２  表示領域
１２ａ  第１の表示領域
１２ｂ  第２の表示領域
２０  バンド部
１００  ウェアラブル端末
１０１  ＣＰＵ
１０２  メインメモリ
１０３  ストレージ
１０４  通信ＩＦ
１０５  加速度センサ
１０６  ３軸角速度センサ
１０７  ディスプレイ
１１１  センサ
１１２  制御部
１１３  表示部
２０１  第１の表示
２０２  第２の表示
２０３  第３の表示
【図１】
2017102429.tif 000003
【図２】
2017102429.tif 000004
【図３】
2017102429.tif 000005
【図４】
2017102429.tif 000006
【図５】
2017102429.tif 000007
【図６】
2017102429.tif 000008
【図７】
2017102429.tif 000009
【図８】
2017102429.tif 000010
【図９】
2017102429.tif 000011
【図１０】
2017102429.tif 000012
【図１１】
2017102429.tif 000013
【図１２】
2017102429.tif 000014
【図１３】
2017102429.tif 000015
【図１４】
2017102429.tif 000016
【図１５】
2017102429.tif 000017
【図１６】
2017102429.tif 000018
【図１７】
2017102429.tif 000019
【図１８】
2017102429.tif 000020